(57)【要約】【課題】  携帯電話機への着信を視覚的に確実に報知するとともに、携帯電話機の装飾的効果を高める。【解決手段】  着信報知装置１０は、携帯電話機１の内部に収容された可動制御部１１と、人工筋肉１２Ａに植毛されて動物の尻尾を模したファー１２Ｂを備えた可動部１２から構成される。携帯電話機１へ着信があると、その情報が可動制御部１１に伝えられ、予め設定されたデフォルトの可動部１２の動作パターン、又はユーザが設定した動作パターンに対応する電気信号を生成して可動部１２に伝達する。可動部１２の人工筋肉１２Ａは、電気信号に基づく姿態で収縮・弛緩してユーザに着信を報知する。【選択図】  図１
2006042256.tif 000002
【特許請求の範囲】
【請求項１】
携帯電話機用の着信報知装置であって、
該携帯電話機への着信に伴って動作する可動部と、
該可動部に接続され、かつその動作を制御する可動制御部とを備え、
前記可動部の少なくとも一部が前記携帯電話機の筐体外部に露出し、該携帯電話機への着信を視覚的に報知する着信報知装置。
【請求項２】
請求項１に記載の着信報知装置であって、
前記可動部及び前記可動制御部は電気的及び機械的に接続される着信報知装置。
【請求項３】
請求項２に記載の着信報知装置であって、
前記可動部は、
前記可動制御部によって制御される電流に応じて屈曲する人工筋肉と、
該人工筋肉に植毛されたファーと、
から構成された動物の尻尾を模したものである着信報知装置。
【請求項４】
請求項１から３のいずれか１項に記載の着信報知装置であって、
前記可動制御部は、
前記可動部の動作姿態を設定、保持する可動設定部と、
該可動設定部に保持された動作姿態に対応する動作条件を保持する可動情報記憶部と、
前記動作姿態及び前記動作条件に従って、前記可動部を駆動する可動部制御回路と、
を備える着信報知装置。
【請求項５】
請求項１ないし４のいずれか１項に記載の着信報知装置であって、
前記可動設定部は、
前記携帯電話機への着信時に鳴動する着信メロディに対応するとともに、該着信メロディの鳴動に同期して動作する動作姿態を保持するものである着信報知装置。
【請求項６】
請求項１ないし４のいずれか１項に記載の着信報知装置であって、
前記可動設定部は、
前記携帯電話機へ着信する電子メールの特定サブジェクトと、該電子メールの内容に含まれる特定キーワードの少なくともいずれかに対応して、受信相手先の感情を表現する動作姿態を保持するものである着信報知装置。
【請求項７】
請求項１に記載の着信報知装置であって、
前記可動部及び前記可動制御部は磁気的及び機械的に接続される着信報知装置。
【請求項８】
請求項７に記載の着信報知装置であって、
前記可動制御部は、前記携帯電話機への着信時にアンテナに生じる高周波電流によって回転するモータと、該モータの回転軸に固定された第一のマグネットを含む可動駆動部より構成され、
前記可動部は、前記第一のマグネットに吸着する第二のマグネットを含む、着信報知装置。
【請求項９】
請求項１ないし８のいずれか１項に記載の着信報知装置であって、
前記可動部は、前記携帯電話機に対して着脱自在に構成される着信報知装置。
【請求項１０】
請求項１ないし８のいずれか１項に記載の着信報知装置であって、
前記着信報知装置は、前記携帯電話機に対して着脱自在に構成される着信報知装置。
【請求項１１】
携帯電話機への着信を視覚的に報知する着信報知装置であって、
前記携帯電話機への着信に伴って動作する可動手段と、
該可動手段の動作を制御する可動制御手段と、
を備える着信報知装置。
【請求項１２】
請求項１１に記載の着信報知装置であって、
前記可動手段は、
前記可動制御手段によって制御される電流に応じて屈曲する人工筋肉と、
該人工筋肉に植毛されたファーと、
から構成された動物の尻尾を模したものである着信報知装置。
【請求項１３】
請求項１１又は１２に記載の着信報知装置であって、
前記可動制御手段は、
前記可動手段の動作姿態を設定、保持する可動設定手段と、
該可動設定手段に保持された動作姿態に対応する動作条件を保持する可動情報保持手段と、
前記動作姿態及び前記動作条件に従って、前記可動手段を駆動する可動駆動手段と、
を備える着信報知装置。
【請求項１４】
請求項１１ないし１３のいずれか１項に記載の着信報知装置であって、
前記可動設定手段は、
前記携帯電話機への着信時に鳴動する着信メロディに対応するとともに、該着信メロディの鳴動に同期して動作する動作姿態を保持するものである着信報知装置。
【請求項１５】
請求項１１ないし１３のいずれか１項に記載の着信報知装置であって、
前記可動設定手段は、
前記携帯電話機へ着信する電子メールの特定サブジェクトと、該電子メールの内容に含まれる特定キーワードの少なくともいずれかに対応して、受信相手先の感情を表現する動作姿態を保持するものである着信報知装置。
【請求項１６】
請求項１１に記載の着信報知装置であって、
前記可動手段は、前記携帯電話機への着信時にアンテナに生じる高周波電流によって回転するモータを含む前記可動制御手段に、磁気的に接続されるものである着信報知装置。
【請求項１７】
請求項１１ないし１６のいずれか１項に記載の着信報知装置であって、
前記可動手段は、前記携帯電話機に対して着脱自在に構成される着信報知装置。
【請求項１８】
請求項１１ないし１６のいずれか１項に記載の着信報知装置であって、
前記着信報知装置は、前記携帯電話機に対して着脱自在に構成される着信報知装置。
【発明の詳細な説明】
【技術分野】
【０００１】
本発明は、携帯電話機への着信を視覚的に報知する着信報知装置に関する。
【背景技術】
【０００２】
従来、携帯電話機の着信報知は、スピーカからの着信音やバイブレータによる筐体の振動、或いはＬＥＤランプの点滅等により行われているのが一般的である。また、音や振動のパターン、ＬＥＤランプの発光色や点滅パターン等を変えることにより、特定の相手からの着信を知ることができるようにしている。しかしながら、音や筐体の振動による着信報知の場合は、静粛な環境において周囲に迷惑をかけることがある。特に、女性ユーザは携帯電話機をバッグの中に入れて持ち運び、喫茶店や図書館等において机上に置くことが多く、着信があった際にバイブレータが机に共振して思わぬ大きな音が出て周囲の人々を驚かすことがある。
【０００３】
また、ＬＥＤランプの点滅による視覚的な着信報知は、音や振動による着信報知の場合のように、周囲に迷惑をかけることはないものの、ＬＥＤランプの点滅がユーザの視界に入らなくて着信に気づかないことがあり、着信報知の確実性に欠けるという問題がある。
【０００４】
近年、ＬＥＤランプの点滅による視覚的報知に装飾的な演出を加えることにより、着信報知の確実性向上を図った着信報知装置が提案されている。この着信報知装置を備えた携帯電話機では、携帯電話機のケーシング内部に、着信時にアンテナに生じる高周波電流を利用して発光する発光回路ユニットを収容するとともに、複数の導光ファイバの基端面を発光回路ユニットに近接させるように取り付けて構成し、発光回路ユニットから発する光により導光ファイバ先端面を散点的に光らせるようにしている（特許文献１参照）。
【０００５】
これにより、携帯電話機における着信の視覚的な報知を装飾的に行うことができるため、従来のＬＥＤランプの点滅による着信報知に比して、ユーザが着信に気づく可能性が高くなるが、発光のみによる視覚的な報知に留まっているため、必ずしも十分なものではなかった。
【０００６】
【特許文献１】特開２００１−１６８９５６号公報
【発明の開示】
【発明が解決しようとする課題】
【０００７】
本発明は、上記の事情に鑑みてなされたものであって、携帯電話機への着信を視覚的に確実に報知するとともに、装飾的効果を併せもつことのできる着信報知装置を提供することを目的とする。
【課題を解決するための手段】
【０００８】
本発明の携帯電話機用の着信報知装置は、携帯電話機への着信に伴って動作する可動部と、可動部に接続され、かつその動作を制御する可動制御部とを備え、可動部の少なくとも一部が携帯電話機の筐体外部に露出し、該携帯電話機への着信を視覚的に報知する。
【０００９】
この構成により、静粛な環境において、携帯電話機を机の上などに置いた場合でも、周囲に迷惑をかけることなく、着信に確実に気づくことかできる。
【００１０】
前記可動部及び前記可動制御部は電気的及び機械的に接続され得る。この場合可動部は、可動制御部によって制御される電流に応じて屈曲する人工筋肉と、人工筋肉に植毛されたファーとから構成された動物の尻尾を模したものとして構成されうる。
【００１１】
この構成により、装飾的効果をもつ携帯電話機を提供できるとともに、携帯電話機に着信があった場合に、可動部にコミカルな動きをさせることができるのでユーザの視界に入り易くなり、着信に気づくことか容易となり、着信報知の確実性が増す。
【００１２】
さらに、可動制御部は、可動部の動作姿態を設定、保持する可動設定部と、可動設定部に保持された動作姿態に対応する動作条件を保持する可動情報記憶部と、動作姿態及び動作条件に従って、可動部を駆動する可動部制御回路より構成され得る。
【００１３】
この構成により、携帯電話機に着信があった際に、可動手段が多様な動作姿態をとることができるので、着信に気づくことが容易になり、着信報知の確実性が増す。
【００１４】
また、本発明の一態様として、上記の着信報知装置であって、前記可動設定部は、携帯電話機への着信時に鳴動する着信メロディに対応するとともに、該着信メロディの鳴動に同期して動作する動作姿態を保持するものも含まれる。
【００１５】
この構成により、携帯電話機の着信時に鳴動する着信メロディに合わせて可動部を動作させることができるので、容易に着信に気づき着信報知の確実性がさらに増す。
【００１６】
また、本発明の一態様として、上記の着信報知装置であって、前記可動設定部は、携帯電話機へ着信する電子メールの特定サブジェクトと、該電子メールの内容に含まれる特定キーワードの少なくともいずれかに対応して、受信相手先の感情を表現する動作姿態を保持するものも含まれる。
【００１７】
この構成により、携帯電話機へ電子メールの着信があったことに確実に気づくことができるとともに、電子メールの内容を見る前に相手先の感情を察知することが可能となる。
【００１８】
また、前記可動部及び前記可動制御部は磁気的及び機械的に接続され得る。ここで、前記可動制御部は、携帯電話機への着信時にアンテナに生じる高周波電流によって回転するモータと、該モータの回転軸に固定された第一のマグネットを含む可動駆動部より構成され、前記可動部は、前記第一のマグネットに吸着する第二のマグネットを含むよう構成され得る。
【００１９】
この構成により、簡単な構成で可動部を動作させることができ、視覚的な着信報知装置を有する、小型かつ低消費電力の携帯電話機を提供することが可能となる。
【００２０】
また、本発明の一態様として、上記の着信報知装置であって、前記可動部は、前記携帯電話機に対して着脱自在に構成されるものも含まれる。一方、着信報知装置自体が、携帯電話機に対して着脱自在に構成されるものも含まれる。
【００２１】
この構成により、視覚的な着信報知装置を有する携帯電話機の持ち運びが容易となり、取り外した可動部又は着信報知装置をストラップとして多様的に利用することができる。
【００２２】
他の観点から、本発明は携帯電話機への着信を視覚的に報知する着信報知装置であって、前記携帯電話機への着信に伴って動作する可動手段と、該可動手段の動作を制御する可動制御手段と、を備えるものを提供する。
【発明の効果】
【００２３】
本発明によれば、携帯電話機への着信を視覚的に確実に報知するとともに、装飾的効果を併せもつことのできる着信報知装置を提供できる。
【発明を実施するための最良の形態】
【００２４】
以下、本発明の実施形態について、図面を用いて説明する。なお、各図において共通する構成要素には同一符号を付してある。
【００２５】
（第１の実施形態）
図１は、本発明の第１の実施形態に係る着信報知装置の基本的な構成を示す図であり、（ａ）正面図、（ｂ）側面図、（ｃ）要部詳細図である。図１（ａ）、（ｂ）に示すように、着信報知装置１０は、携帯電話機１の内部に収容された可動制御部１１と、可動制御部１１に機械的及び電気的に接続される可動部１２を有する構成である。可動制御部１１は可動制御手段を構成し、可動部１２は可動手段を構成する。
【００２６】
可動部１２は、図１（ｃ）に示すように、一端に接続部１２Ｃを備える人工筋肉１２Ａと、全体として動物の尻尾をイメージするように人工筋肉１２Ａに植毛されたファー１２Ｂを有して構成され、接続部１２Ｃを介して可動制御部１１に設けた接続部１２Ｄに着脱可能にされている。これにより、携帯電話機１をポケットや鞄に入れて持ち運ぶ際は、可動部１２を取り外すことができるので、ポケットや鞄の中で嵩張ったり、衝撃等により壊れたりすることを未然に防止することができる。また、取り外した可動部１２を紛失しないようにするために、例えば図２に示すように、可動部１２の一端にストラップ１２Ｄを設けて携帯電話機１に取り付けるようにしてもよい。さらに、可動部１２を取り外した後の接続部１１Ｄに、図示しないＬＥＤランプ等の着信報知手段を装着することもできる。なお、ファー１２Ｂの代わりに動物の尻尾を模すことができるような材質、色彩、触感のものを用いることができる。
【００２７】
上記例では、携帯電話機１本体内部に着信報知装置１０を収納し、可動部１２を着脱可能に構成したが、図３に示すように、可動制御部１１と可動部１２を一体化してなる着信報知装置１０を携帯電話機１の下端部に設けた外部端子１Ｃに着脱可能に構成することもできる。これにより、携帯電話機１本体を小型にすることが可能となる。
【００２８】
可動部１２は、その少なくとも一部が携帯電話機１本体から露出、言い換えると携帯電話機１の筐体外部に露出されていればよい。この構成下、携帯電話機への着信を視覚的に報知することが可能となる。
【００２９】
なお、可動部１２は、携帯電話機１を机上に置いた状態で着信があった場合に容易に気づく位置に装着し、かつ通話に際して妨げにならないことが必要である。従って、携帯電話機のタイプによって可動部１２の最適な装着位置が異なる。
【００３０】
例えば、図４に示すような棒状携帯電話機１００において、これを机上に置く場合は、通常メインＬＣＤ１０１を上面にするので、可動部１２を装着する位置は、携帯電話機１００の斜線で示す上端部ａ、若しくは下端部ｂが望ましい。同様に、折畳式携帯電話機２００を机上に置く場合は、通常図５に示すように、上筐体２００Ａと下筐体２００Ｂを折り畳んだ状態でサブＬＣＤ２０２を上面にするので、可動部１２を上筐体２００Ａ表面の斜線部ｃ、下筐体２００Ｂの上端部ｄ、又は下端部ｅの位置に設ければ、通話の妨げにならないようにすることができる。
【００３１】
また、２軸式携帯電話機３００を机上に置く場合、通常図６に示すように上筐体３００Ａと下筐体３００Ｂを閉じた状態でサブＬＣＤ３０２を上面にするので、可動部１２は上筐体３００Ａの斜線部ｆ、下筐体３００Ｂの上端部ｇ又は下端部ｈの位置に設けることが適している。さらに、水平回転式携帯電話機４００を机上に置く場合は、通常図７に示すように、上筐体４００Ａと下筐体４００Ｂを閉じた状態でメインＬＣＤ４０１を上面にして置くので、可動部１２を下筐体４００Ｂ上端部の斜線部ｉ、又は下端部ｊの位置に設けることにより、着信時に通話の妨げにならないようにすることができる。
【００３２】
ここで、人工筋肉１２Ａの動作原理及び動作姿態について説明する。図８は、人工筋肉１２Ａの動作原理を説明するためのモデル図であり、人工筋肉１２Ａが電源ＰＳとスイッチＳＷに直列に接続された構成である。
【００３３】
人工筋肉１２Ａは、例えば電解質高分子材料からなり、図８（ａ）に示すように、スイッチＳＷが開いて電流が流れない状態では柔らかくしなやかであるが、図８（ｂ）に示すように、スイッチＳＷが閉じて電源ＰＳから電流が流れると収縮する性質を有する一種のアクチュエータである。この原理を利用して人口筋肉１２Ａに流れる電流パターンを制御することにより、例えば、図９に示すように、様々な動作姿態を生成することができる。
【００３４】
図９（ａ）は、人口筋肉１２Ａに流れる電流を正負２極性で用いた例であり、電流の向きに応じて左右両方向に曲がる。また、電流の極性に併せて電流値を制御することにより、図９（ｂ）に示すように、全方位に屈曲させることができる。これらの動作原理に基づいて、図１（ｃ）に示すように、人口筋肉１２Ａにファー１２Ｂを植毛して形成した可動部１２を、図９（ｃ）に示すように曲げたり、また図９（ｄ）に示すようにぴんと張ったりの各姿態に動作させて、動物の尻尾をイメージさせることが可能となる。なお、本実施形態では、電流を流すことにより収縮する人工筋肉を例に説明したが、これに限ることなく、電気的に姿態が制御可能な他のアクチュエータ、例えば電磁機械的なアクチュエータ等を用いることができる。
【００３５】
図１０は、本実施形態に係る着信報知装置の電気的な構成を示すブロック図である。着信報知装置１０は、可動制御部１１と可動部１２を有する構成である。可動制御部１１は、可動部１２の動作を制御する可動部制御回路１１Ａと、ユーザが設定した可動部１２の動作姿態の情報及び予め用意されたデフォルトの動作姿態情報を記憶する可動設定部１１Ｂと、可動部１２の動作条件を表す情報、例えば図１１に示すように、可動部１２の動作方向、動作ひずみ量、動作時間等をテーブルの形式で記憶した可動情報記憶部１１Ｃと、可動部１２との電気的インタフェースをとる接続部１１Ｄを備えている。可動部制御回路１１Ａは可動駆動手段を構成し、可動設定部１１Ｂは可動設定手段を構成し、可動情報記憶部１１Ｃは可動情報保持手段を構成する。以下の説明では、動作姿態と動作条件を併せて、動作パターンと呼ぶことにする。
【００３６】
また、携帯電話機１は、着信を検出する着信検出部１Ａと、可動部１２の接続有無を検出する可動部検出部１Ｂを備えている。
【００３７】
次に、以上のように構成された本実施形態の着信報知装置１０の動作について説明する。図１２は、本実施形態の着信報知装置１の動作手順を説明するためのフローチャートである。
【００３８】
まず、携帯電話機１の電源が入った待ち受け状態（ステップＳ１０１）から、携帯電話機１への着信有無を着信検出部１Ａで検出する（ステップＳ１０２）。その結果、着信があった場合は可動部検出部１Ｂにより、可動制御部１１の接続部１１Ｄに可動部１２の接続部１２Ｃが接続されているか否かを判定する（ステップＳ１０３）。
【００３９】
判定の結果、携帯電話機１に可動部１２が接続されていないと判定された場合は、携帯電話機１本体に設けられた他の着信報知装置、例えば、スピーカからの着信音、又はバイブレータの作動やＬＥＤの点灯等を作動させることによりユーザに着信を報知する（ステップＳ１０４）。
【００４０】
一方、ステップＳ１０３で可動部１２が携帯電話機１に接続されていると判定された場合は、ステップＳ１０５において、可動制御部１１の可動設定部１１Ｂ及び可動情報記憶部１１Ｃにユーザによって可動部１２の動作パターンの設定がされているか否かを判定する。
【００４１】
その結果、ユーザによって動作パターンの設定がされている場合は、可動部制御回路１１Ａに可動設定部１１Ｂ及び可動情報記憶部１１Ｃから可動部１２の動作パターンを読み込み（ステップＳ１０６）、読み込んだ動作パターンに対応する電気信号を生成する（ステップＳ１０８）。生成された電気信号はＤ／Ａ変換され、接続部１１Ｄを介して可動部１２に送られ（ステップＳ１０９）、人工筋肉１２Ａを設定された動作パターンで動作させる（ステップＳ１１０）。
【００４２】
一方、ステップＳ１０５において、可動設定部１１Ｂ及び可動情報記憶部１１Ｃにユーザによる動作パターンが設定されていない場合は、可動設定部１１Ｂ及び可動情報記憶部１１Ｃに予め記憶されているデフォルトの動作パターンを読み込み（ステップＳ１０７）、ステップＳ１０８の手順に進む。
【００４３】
以上説明したように、このような本発明の第１の実施形態の着信報知装置によれば、人工筋肉１２Ａとファー１２Ｂで構成されて動物の尻尾を模した可動部１２を、可動制御部１１でユーザが設定した動作パターン、又はデフォルトの動作パターンで動作するように制御する。これにより、携帯電話機１への着信を視覚的に、かつ確実に報知することが可能になるとともに、携帯電話機１の装飾的効果を高めることができる。
【００４４】
なお、本実施形態の着信報知装置１０と、スピーカからの着信音やバイブレータによる筐体の振動、或いはＬＥＤランプの点滅等従来の着信報知装置との選択、又は組み合わせを携帯電話機１上で短縮キーを用いて設定したり、ディップスイッチで切り換えできるようにすることにより、移動中或いは机上に置いた状態等の多様な使用環境において、携帯電話機１への着信を確実に報知することができる。
【００４５】
また、本実施形態と従来の着信報知装置を、電池の消耗度に応じて自動的に切り換えたり、又は、携帯電話機１の底面に斜度を感知するセンサを取り付け、机上等の平面に置かれたことが検知できた場合に、自動的に本実施形態の着信報知装置１０を使用するようにしてもよい。或いは、携帯電話機１を底面に置くことで無線感度が劣化することを検知し、無線感度の劣化が所定時間続いたら底面に置かれたと判断して本実施形態の着信報知装置１０を使用するようにしてもよい。
【００４６】
さらに、図１３に示すように、着信報知用のＬＥＤランプ１０２を携帯電話機１に着脱可能に構成し、ＬＥＤランプ１０２の駆動回路を可動部１２の可動部制御回路１１Ａと共通化することにより、回路規模を縮減することができる。さらに、赤、緑、青各発光色のＬＥＤ駆動信号を着信時の可動部１２の利用することで、可動部１２に図９（ｂ）に示したような多様な方向への動作を行わせることができる。
【００４７】
また、図１４に示すように、携帯電話機１本体内のアンプ１０５からの出力信号をスピーカ１０６と可動部１２へ切り替えられるようにすることにより、着信報知装置１０を音響信号で動作させることも可能である。また、図１５に示すように、携帯電話機１のアンテナを図１に示した例とは異なる別の場所に移動し、空いたスペースに可動部１２を装着して携帯電話機１本体に収納可能に構成することにより、可動部１２の紛失を防ぐことができる。使用に際して、可動部１２を携帯電話機１本体外部に引き伸ばすことにより、可動部１２の接続部１２Ｃと携帯電話機１内の接続部１１Ｄが電気的に接続されるようにする。
【００４８】
さらに、図１６に示すように、携帯電話機１内に可動部１２を埋め込む構造とし、使用に際して起こすことができるようにしてもよい。
【００４９】
（第２の実施形態）
本発明の第２の実施形態に係る着信報知装置の基本的な構成は、第１の実施形態と同じであるが、電気的な構成の一部が異なる。図１７は、本実施形態に係る着信報知装置の電気的な構成を示すブロック図である。第１の実施形態における着信報知装置の電気的な構成を示す図１０と同一の構成要素には同じ符号を付して説明を省略する。
【００５０】
着信報知装置２０の可動制御部２１は、第１の実施形態における可動制御部１１に加え、携帯電話機２への着信時に着信メロディに同期して可動部１２を動作させるための電気信号を生成する着信メロディ対応信号生成回路２１Ｅと、着信メロディに対応する可動部１２の動作条件、例えば、ＭＩＤＩデータと可動部１２の動作パターンとの対応を、図１８に示すようなテーブル形式で記憶した着信メロディ対応記憶部２１Ｆを有する構成である。
【００５１】
また、携帯電話機２は、第１の実施形態における構成に加え、着信メロディを鳴動する着信メロディ鳴動部２Ｃを備えている。
【００５２】
次に、以上のように構成された本実施形態の着信報知装置２０の動作について説明する。図１９は、本実施形態の着信報知装置２の動作手順を説明するためのフローチャートである。
【００５３】
図１９において、ステップＳ２０１〜Ｓ２０４の手順は、図１２のステップＳ１０１〜Ｓ１０４と同じであり、説明を省略する。
【００５４】
ステップＳ２０３で可動部１２が接続されていると判定された場合は、携帯電話機２の着信メロディ鳴動部２Ｃを動作させて着信メロディを鳴動させる（ステップＳ２０５）。同時に、可動部２０の可動部制御回路１１Ａは携帯電話機２本体からＭＩＤＩデータを読み込んで（ステップＳ２０６）、着信メロディ対応記憶部２１Ｆに保持したテーブルの情報とマッチングを行う（ステップＳ２０７）。
【００５５】
次いで、着信メロディ対応信号生成回路２１Ｅで着信メロディにマッチングした可動部１２を動作させるための電気信号を生成する（ステップＳ２０８）。生成された電気信号は可動部制御回路１１ＡにおいてＤ／Ａ変換され、接続部１１Ｄを介して可動部１２に送られ（ステップＳ２０９）、人工筋肉１２Ａを設定された着信メロディに同期した動作パターンで動作させる（ステップＳ２１０）。
【００５６】
なお、上記の説明では、着信メロディの鳴動を可動部１２とともに動作させるようにしたが、可動部１２が動作する際は着信メロディの鳴動を停止させるように制御してもよい。また、着信メロディ対応記憶部２１Ｆに記憶したＭＩＤＩデータと可動部１２の動作パターンとの対応テーブルは、ユーザの好みに合わせて携帯電話機２上で随時変更できるようにしてもよい。
【００５７】
図２０は、本実施形態の変形例を示すもので、図１７に示した着信報知装置２０の構成における着信メロディ対応信号生成回路２１Ｅ及び着信メロディ対応記憶部２１Ｆに代えて、発信者番号比較検出回路３１Ｇと特定発信者番号記憶部３１Ｈを有する着信報知装置３０の構成を示すものである。図２０において、発信者番号比較検出回路３１Ｇは、発信者の電話番号を検出して予め登録した特定の電話番号と比較する。特定発信者番号記憶部３１Ｈには、特定電話番号に対応する可動部１２の動作パターンとの対応テーブルを予め記憶してある。
【００５８】
この構成により、携帯電話機１に特定の発信者から着信があった場合、可動部１２を特定の発信者に対応する動作パターンで動作させることが可能となり、ユーザは誰から電話がかかってきたかを可動部１２の動作姿態で知ることができる。
【００５９】
なお、発信者の電話番号を電子メールアドレスに置き換えれば、特定の発信者から電子メールが着信した場合に、可動部１２の動作姿態でこれを知ることができる。
【００６０】
以上説明したように、このような本発明の第２の実施形態の着信報知装置によれば、着信メロディに対応して可動部１２を動作させるための電気信号を生成する着信メロディ対応信号生成回路２１Ｅと、着信メロディのＭＩＤＩデータと可動部１２の動作パターンとの対応テーブルを記憶した着信メロディ対応記憶部２１Ｆを備え、携帯電話機２への着信時に可動部１２を着信メロディの鳴動に同期して動作させることにより、視覚的な着信報知をより確実にすることができる。
【００６１】
また、携帯電話機１への着信時に、特定の発信者からの電話番号又は電子メールアドレスを検出して、対応する動作パターンで可動部１２を動作させることにより、特定の発信者から電話、又は電子メールがあったことを容易に知ることができる。
【００６２】
（第３の実施形態）
本発明の第３の実施形態に係る着信報知装置の基本的な構成は、第１の実施形態と同じであるが、電気的な構成の一部が異なる。図２１は、本実施形態に係る着信報知装置の電気的な構成を示すブロック図である。第１の実施形態における着信報知装置の電気的な構成を示す図１０と同一の構成要素には同じ符号を付して説明を省略する。
【００６３】
着信報知装置４０の可動制御部４１は、第１の実施形態における可動制御部１１に加え、携帯電話機４への電子メール着信時に電子メールの内容に含まれる特定キーワードに対応して可動部１２を動作させるための電気信号を生成するキーワード対応信号生成回路４１Ｉと、特定キーワードと可動部１２の動作パターンとの対応テーブルを記憶した特定キーワード対応記憶部４１Ｊを有する構成である。
【００６４】
また、携帯電話機４は、着信した電子メールを保存するメール保存部４Ｄと、電子メールに含まれるキーワードが特定キーワード対応記憶部４１Ｊに記憶した特定キーワードと一致するかどうかを判定するキーワード比較判定回路４Ｅを備えている。
【００６５】
次に、以上のように構成された本実施形態の着信報知装置４０の動作について、悲しいことを表す絵文字「（ＴｏＴ）」が特定キーワードとして特定キーワード対応記憶部４１Ｊに登録されている場合を例にして説明する。図２２は、本実施形態の着信報知装置４０の動作手順を説明するためのフローチャートである。
【００６６】
まず、携帯電話機４で電子メールを受信すると（ステップＳ３０１）、これをメール保存部４Ｄに記憶する（ステップＳ３０２）。続いて、キーワード比較判定回路４Ｅでメール保存部４Ｄに保存された電子メールに含まれるキーワードを特定キーワード対応記憶部４１Ｊに記憶された特定キーワード「（ＴｏＴ）」と比較し（ステップＳ３０３）、一致するか否かを判定する（ステップＳ３０４）。
【００６７】
その結果、一致すると判定された場合、キーワード対応信号生成回路４１Ｉは、特定キーワード対応記憶部４１Ｊから一致した特定キーワードに対応する可動部１２の動作パターン、例えば、電子メールの受信相手が悲しみでうなだれている様子を模した、可動部１２が垂れ下がる動作パターンを読み込んで（ステップＳ３０５）、可動部１２を動作させるための電気信号を生成する（ステップＳ３０６）。生成された電気信号は可動制御部１１でＤ／Ａ変換され、接続部１１Ｄを介して可動部１２に送られ（ステップＳ３０７）、人工筋肉１２Ａを垂れ下がるように動作させる（ステップＳ３０８）。これにより、ユーザは受信した電子メールに悲しい内容が含まれていることを知ることができる。
【００６８】
一方、ステップＳ３０４において、受信した電子メール中に特定キーワードに一致するものがないと判定された場合は、可動部１２を動作させることなく終了する。
【００６９】
なお、上記の説明では、特定キーワードを絵文字「（ＴｏＴ）」として説明したが、絵文字に限らずテキストデータやコード等でもあってよい。また、電子メールのサブジェクトを検出し、特定のサブジェクトである場合に可動部１２を設定した動作パターンで動作させるようにしてもよい。
【００７０】
以上説明したように、本発明の第３の実施形態の着信報知装置によれば、電子メールの内容に含まれる特定のキーワードに対応して可動部１２を動作させるための電気信号を生成するキーワード対応信号生成回路４１Ｉと、特定キーワードと可動部１２の動作パターンとの対応テーブルを記憶した特定キーワード対応記憶部４１Ｊを備え、携帯電話機４への電子メール着信時に特定キーワードが含まれることを検出した場合、その特定キーワードに対応して可動部１２を動作させることにより、電子メールの着信時に受信相手の感情を視覚的に知ることができる。
【００７１】
（第４の実施形態）
図２３は、本発明の第４の実施形態に係る着信報知装置の概略構成を示す携帯電話機の側面図である。同図に示すように、本実施形態の着信報知装置は、携帯電話機５の本体内部に配設された可動駆動部５１と、携帯電話機５の正面で可動駆動部５１と機械的に接続される可動部５２を有する構成である。また、図２４は、着信報知装置５０の電気的な構成を示す回路図である。可動駆動部５１は可動制御手段を構成する。
【００７２】
図２４において、可動駆動部５１は、携帯電話機５のアンテナ５０１と電磁的に結合したコイル５１１と、ダイオード５１２及びコンデンサ５１３と、モータ５１４を備えて構成される。モータ５１４は低消費電力型であり、回転時における可動部５２との共振を避けるために、例えば５〜１０ｒｐｍの低速回転のものを使用し、回転軸の先端に第一のマグネット５１５を固定した構造である。
【００７３】
また、可動部５２は、剛性のあるワイヤ５２Ａと、その周囲に植毛された第１の実施形態と同様のファー１２Ｂから構成され、一端に第二のマグネット５２１が固定されている。そして、可動駆動部５１と可動部５２は、マグネット５１５、５２１の吸着力を利用して接続される。すなわち可動駆動部５１と可動部５２は磁気的及び機械的に接続される。なお、マグネット５１５、５２１の代わりに他の機械的接続手段、例えばカップリング等を用いることができる。
【００７４】
次に、以上のように構成された本実施形態の着信報知装置の動作について、説明する。
【００７５】
まず、携帯電話機５への着信があると、アンテナ５０１に生じる電磁波により可動駆動部５１のコイル５１１に誘導電流が誘起する。この誘導電流はダイオード５１２で整流され、コンデンサ５１３で平滑化されてモータ５１４を駆動する。
【００７６】
モータ５１４の回転に伴い、マグネット５１５、５２１を介して接続された可動部５２が緩やかに回転し、ユーザに携帯電話機５への着信があったことを視覚的に報知する。
【００７７】
以上説明したように、このような本発明の第４の実施形態の着信報知装置によれば、携帯電話機５の内部に収容された可動駆動部５１において、着信時にアンテナ５０１に生じる電磁波をコイル５１１で検出してモータ５１４を回転させ、マグネット５１５、５２１を介して接続された可動部５２を回転させる。これにより、簡単かつ安価な構成で、ユーザに携帯電話機５へ着信があったことを視覚的に報知することができる。
【００７８】
なお、本実施形態では、可動駆動部５１を携帯電話機５の内部に配設し、可動部５２をマグネット５１５、５２１により着脱可能に構成したが、携帯電話機５下端部の外部端子に可動駆動部５１を着脱可能に構成しても同様の効果を得ることができる。
【００７９】
（第５の実施形態）
本発明の第５の実施形態に係る着信報知装置は、第１の実施形態における着信報知の機能に加えて、携帯電話機に備えられたディスプレイの表示情報に基づいて可動部を動作させる構成である。図２５は、本発明の第５の実施形態に係る着信報知装置の概略構成を示す図である。また、図２６は、本実施形態の電気的な構成を示すブロック図である。
【００８０】
図２５及び図２６に示すように、本実施形態の着信報知装置６０は、可動制御部６１と、第１〜第３の実施形態と同じ構成の可動部１２を有する構成である。
【００８１】
可動制御部６１は、第１の実施形態における可動制御部１１に加え、携帯電話機６のディスプレイの表示情報に対応する可動部１２の動作姿態情報を記憶する可動設定部６１Ｂと、可動部１２の動作条件の情報を記憶している可動情報記憶部６１Ｃを備えて構成されている。
【００８２】
また、携帯電話機６は、感圧式タッチパネルを備えたディスプレイ６Ｆと、タッチパネルの圧力情報と表示データとを対応づけて記憶するメモリ６Ｇを備えている。
【００８３】
次に、以上のように構成された本実施形態の着信報知装置６０の動作について、携帯電話機６に予め組み込まれている動物育成ゲームのアプリケーションを実行する場合を例にして説明する。図２７は、本実施形態の着信報知装置６０の動作手順を説明するためのフローチャート、図２８はディスプレイ６Ｆの表示例である。
【００８４】
まず、動物育成ゲームプログラムを起動させ（ステップＳ５０１）、ディスプレイ６Ｆにおいて、図２８に示すように、動物Ａの画像を表示して、ユーザによるディスプレイ６Ｆ上の動物Ａに対する撫でたりや叩いたり等の刺激を待ち受ける状態にする（ステップＳ５０２）。
【００８５】
次いで、ステップＳ５０３において、動物Ａに刺激が与えられたか否かを判定する。その結果、ユーザから刺激を受けたと判定されると、その刺激情報がメモリ６Ｇに記憶され、この刺激情報をもとに動物育成ゲームのプログラムに従って動物Ａの感情を判断して処理する（ステップＳ５０４）。
【００８６】
例えば、ディスプレイ６Ｆを撫でることにより表面の圧力が変化する。この圧力変化情報をＡ／Ｄ変換し、メモリ６Ｇに保存する。メモリ６Ｇ内には、圧力変化情報に対応する動物Ａの表示データが保存されている。
【００８７】
ステップＳ５０５では、メモリ６Ｇに保存された圧力変化情報により動物Ａの感情に変化があるか否かを判定し、例えば撫でられたことによって喜びの感情に変化したと判定された場合は、ステップＳ５０６において、ディスプレイ６Ｆの表示を更新して動物Ａが喜んでいる表示に変える。
【００８８】
続いて、着信報知装置６０の可動部制御回路１１Ａによりディスプレイ６Ｆの表示データを読み込み（ステップＳ５０７）、可動設定部６１Ｂ及び可動情報記憶部６１Ｃから表示データに対応する可動部１２の動作パターンを読み込んで、動作パターンに対応する電気信号を生成する（ステップＳ５０８）。
【００８９】
生成された電気信号はＤ／Ａ変換され、接続部１１Ｄを介して可動部１２に送られて（ステップＳ５０９）、ディスプレイ６Ｆにおける動物Ａの喜んでいる表示に対応した動作姿態、例えば尻尾を振るのを模した図９（ａ）に示すような姿態で可動部１２を動かす（ステップＳ５１０）。これにより、ユーザはゲームに対してより感情移入することとなる。
【００９０】
ステップＳ５１１では、ゲームを終了するか否かを判断し、終了しない場合はステップＳ５０３の手順に戻り、ディスプレイ６Ｆ上の動物Ａに対する刺激があるか否かを判定する。
【００９１】
以上説明したように、このような本発明の第５の実施形態の着信報知装置によれば、着信報知装置６０は、携帯電話機６に備えられた感圧式タッチパネルのディスプレイ６Ｆからの情報で動作する可動制御部６１と、可動制御部６１に接続される可動部１２を有して構成され、例えば、動物育成ゲームを行う際に、ディスプレイ６Ｆに表示された動物Ａに与えた刺激で変化した表示データを可動制御部６１に読み込み、表示データに対応した動作パターンで可動部１２を動作させる。これにより、着信報知装置６０を携帯電話機６の着信報知に機能させるだけでなく、ゲームにおける興を高めるための表現手段として用いることが可能となる。
【００９２】
なお、本実施形態におけるディスプレイ６Ｆは、感圧式タッチパネルのみならず、静電式タッチパネル等他の手段を用いることが可能である。また、ディスプレイ６Ｆのタッチパネルに代えて、例えば携帯電話機６の表面にタッチセンサを取り付け、センサが所定時間ユーザに触れられていることを感知した場合に、動物Ａに変化を与えるというようにすることにより、同様の機能を奏することが可能である。
【００９３】
また、本実施形態では、動物育成ゲームを行う際、動物の感情を表現するためにディスプレイ６Ｆと着信報知装置６０を用いたが、これらに加えて、携帯電話機６に備えられているスピーカを使用して動物の鳴き声を表現したり、バイブレータを使用して動物の動きを表現することにより、ゲームの興をより一層高めることができる。
【００９４】
さらに、携帯電話機６に備えられているマイクロホンを利用してユーザの声を音声認識させ、動物の育成に役立てることも可能である。例えば、ユーザが「伏せ」と言った場合、これを音声認識して、着信放置装置６０の可動部１２が倒れた状態になるようにしてもよい。
【００９５】
また、携帯電話機６がカメラ付き携帯電話機の場合、ユーザの顔を撮影して動物の主人として登録をしておくことにより、ユーザ以外の他人が携帯電話機６を利用しようとした際に、カメラを用いて顔の認証を行い、主人として登録されている顔と違った場合には、スピーカから警告音を出すように構成したり、バイブレータを動かすことで相手を威嚇して番犬の役割を果たすようにしてもよい。なお、カメラを使用する顔認証に代えて、指紋認証を利用してもよい。
【００９６】
また、動物Ａを散歩させるために携帯電話機６内に万歩計の機能を付加し、ユーザが実際に歩くことで、動物Ａも散歩を行ったこととして処理を行うようにしてもよい。
【００９７】
動物の種類は、予め携帯電話内のメモリ内に入れておいてもよいし、アプリケーションからダウンロードにより取得してもよい。
【００９８】
本実施形態では、動物育成ゲームに着信報知装置を利用する例を述べたが、他にもアラームの代わりとしての着信報知装置の利用や、電池残量を報知させるために着信報知装置を利用することも可能である。
【００９９】
以上、本発明の各種実施形態を説明したが、本発明は前記実施形態において示された事項に限定されず、特許請求の範囲及び明細書の記載、並びに周知の技術に基づいて、当業者がその変更・応用することも本発明の予定するところであり、保護を求める範囲に含まれる。
【産業上の利用可能性】
【０１００】
本発明は、携帯電話機への着信を視覚的に確実に報知するとともに、装飾的効果を併せもつことのできる効果を有し、着信報知装置等に有用である。
【図面の簡単な説明】
【０１０１】
【図１】（ａ）本発明の第１の実施形態に係る着信報知装置の基本的な構成を示す正面図  （ｂ）本発明の第１の実施形態に係る着信報知装置の基本的な構成を示す側面図  （ｃ）本発明の第１の実施形態に係る着信報知装置の要部構成を示す図
【図２】第１の実施形態に係る着信報知装置の可動部をストラップとした場合の構成を示す図
【図３】第１の実施形態に係る着信報知装置の他の要部構成を示す図
【図４】棒状携帯電話機において、第１の実施形態に係る可動部の装着位置を示す図
【図５】折畳式携帯電話機において、第１の実施形態に係る可動部の装着位置を示す図
【図６】２軸式携帯電話機において、第１の実施形態に係る可動部の装着位置を示す図
【図７】水平回転式携帯電話機において、第１の実施形態に係る可動部の装着位置を示す図
【図８】（ａ）人工筋肉の電流が流れない状態における姿態を示すモデル図  （ｂ）人工筋肉の電流が流れた状態における姿態を示すモデル図
【図９】（ａ）正負２極の電流で駆動した場合の人工筋肉の動作姿態を示すモデル図  （ｂ）極性と電流を制御して駆動した場合の人工筋肉の動作姿態を示すモデル図  （ｃ）第１の実施形態に係る可動部の動作姿態の例を示すモデル図  （ｄ）第１の実施形態に係る可動部の動作姿態の他の例を示すモデル図
【図１０】本発明の第１の実施形態に係る着信報知装置の電気的構成を示すブロック図
【図１１】第１の実施形態に係る可動部の動作条件の例を示すテーブル
【図１２】第１の実施形態に係る着信報知装置の動作手順を説明するためのフローチャート
【図１３】第１の実施形態に係る着信報知装置の変形例における概略構成を示す図
【図１４】第１の実施形態に係る着信報知装置の他の変形例における概略構成を示す図
【図１５】第１の実施形態に係る着信報知装置の別の変形例における概略構成を示す図
【図１６】第１の実施形態に係る着信報知装置の更に別の変形例における概略構成を示す図
【図１７】本発明の第２の実施形態に係る着信報知装置の電気的構成を示すブロック図
【図１８】第２の実施形態に係る可動部の動作条件の例を示すテーブル
【図１９】第２の実施形態に係る着信報知装置の動作手順を説明するためのフローチャート
【図２０】第２の実施形態に係る着信報知装置の変形例における電気的構成を示すブロック図
【図２１】本発明の第３の実施形態に係る着信報知装置の電気的構成を示すブロック図
【図２２】第３の実施形態に係る着信報知装置の動作手順を説明するためのフローチャート
【図２３】本発明の第４の実施形態に係る着信報知装置の概略構成を示す図
【図２４】第４の実施形態に係る着信報知装置の電気的構成を示す図
【図２５】本発明の第５の実施形態に係る着信報知装置の概略構成を示す図
【図２６】第５の実施形態に係る着信報知装置の電気的構成を示すブロック図
【図２７】第５の実施形態に係る着信報知装置の動作手順を説明するためのフローチャート
【図２８】第５の実施形態に係るディスプレイの表示例を示す図
【符号の説明】
【０１０２】
１、２、４、５、６  携帯電話機
１０、２０、４０、６０  着信報知装置
１１、２１、４１、６１  可動制御部
１１Ａ  可動部制御回路
１１Ｂ  可動設定部
１１Ｃ  可動情報記憶部
１２、５２  可動部
１２Ａ  人工筋肉
１２Ｂ  ファー
２１Ｅ  着信メロディ対応信号生成回路
２１Ｆ  着信メロディ対応記憶部
４１Ｉ  キーワード対応信号生成回路
４１Ｊ  特定キーワード対応記憶部
５１  可動部駆動部
５０１  アンテナ
５１４  モータ
【図１】
2006042256.tif 000003
【図２】
2006042256.tif 000004
【図３】
2006042256.tif 000005
【図４】
2006042256.tif 000006
【図５】
2006042256.tif 000007
【図６】
2006042256.tif 000008
【図７】
2006042256.tif 000009
【図８】
2006042256.tif 000010
【図９】
2006042256.tif 000011
【図１０】
2006042256.tif 000012
【図１１】
2006042256.tif 000013
【図１２】
2006042256.tif 000014
【図１３】
2006042256.tif 000015
【図１４】
2006042256.tif 000016
【図１５】
2006042256.tif 000017
【図１６】
2006042256.tif 000018
【図１７】
2006042256.tif 000019
【図１８】
2006042256.tif 000020
【図１９】
2006042256.tif 000021
【図２０】
2006042256.tif 000022
【図２１】
2006042256.tif 000023
【図２２】
2006042256.tif 000024
【図２３】
2006042256.tif 000025
【図２４】
2006042256.tif 000026
【図２５】
2006042256.tif 000027
【図２６】
2006042256.tif 000028
【図２７】
2006042256.tif 000029
【図２８】
2006042256.tif 000030